(57)【要約】【課題】自分撮りを行う時に机の上に置いて撮影する場合に、光軸を斜め上方に向けたり、台の上から撮影する場合に、光軸を斜め下方に向けても安定して接地できる撮像装置用三脚、または三脚内蔵撮像装置を提供すること。【解決手段】撮像装置の底面に装着可能な第一の面と、第一の面の対面となる第二の面を備えた三脚本体と、第一の脚部と第二の脚部が収納状態と開状態の２つの状態を回転移動可能に前記三脚本体部に軸支されるとともに、収納状態に於いて前記第一の面上、または、第一の面に設けた凹部に収納され、第三の脚部が収納状態と開状態の２つの状態を回転移動可能に前記三脚本体部に軸支されるとともに、収納状態に於いて前記第二の面上、または、第二の面に設けた凹部に収納されるように配置する構造とした。【選択図】図１
2017032880.tif 000002
【特許請求の範囲】
【請求項１】
撮像装置の底面に装着可能な第一の面と、第一の面の対面となる第二の面を備えた三脚本体と、第一の脚部と第二の脚部が収納状態と開状態の２つの状態を回転移動可能に前記三脚本体部に軸支されるとともに、収納状態に於いて前記第一の面上、または、第一の面に設けた凹部に収納され、第三の脚部が収納状態と開状態の２つの状態を回転移動可能に前記三脚本体部に軸支されるとともに、収納状態に於いて前記第二の面上、または、第二の面に設けた凹部に収納されるように配置されたことを特徴とする撮像装置用三脚。
【請求項２】
前記収納状態に於いて、前記三脚本体の第一の面に配置された前記第一および第二の脚部と、前記三脚本体の第二の面に配置された第三の脚部の回転軸は、撮像装置取り付け時の撮像装置の光軸と直交する方向に配置されたことを特徴とする請求項１に記載の撮像装置用三脚。
【請求項３】
前記三脚本体の第一の面に前記第一および第二の脚部の収納状態時に位置規制する位置規制部材を備え、前記位置規制部材は前記第一の脚部に設けられた第一の当接部と係合する第一の係止部と、前記第二の脚部に設けられた第一の当接部と係合する第二の係止部と、前記第三の脚部に設けられた第一の当接部と係合する第三の係止部と、前記第一の脚部に設けられた第二の当接部と係合する第四の係止部と、前記第二の脚部に設けられた第二の当接部と係合する第五の係止部とを備え、且つ該位置規制部材を移動させるための操作つまみ部を備えたことを特徴とする請求項１又は請求項２に記載の撮像装置用三脚。
【請求項４】
本体に撮像光学系の光軸と直交する方向の回転軸を持つヒンジを介して、回転自在に取り付けられたカメラ部を有し、前記カメラ部が前記本体部に収納された状態時に前記カメラ部の底面側に対面する本体の第一の面と前記本体の第一の面の対面で本体の底面側となる第二の面を備え、第一の脚部と第二の脚部が収納状態と開状態の２つの状態を回転移動可能に、前記本体部に軸支されるとともに、収納状態に於いて前記第一の面上、または、第一の面に設けた凹部に収納され、第三の脚部が収納状態と開状態の２つの状態を回転移動可能に、前記本体部に軸支されるとともに、収納状態に於いて前記第二の面上、または、第二の面に設けた凹部に収納されるように配置されたことを特徴とする三脚内蔵撮像装置。
【請求項５】
前記各脚部の収納状態に於いて、前記三脚内蔵撮像装置の本体の第一の面に配置された前記第一および第二の脚部と、前記三脚内蔵撮像装置の本体の第二の面に配置された前記第三の脚部の回転軸は、カメラ部の光軸と直交する方向に配置されたことを特徴とする請求項４に記載の三脚内蔵撮像装置。
【請求項６】
前記三脚内蔵撮像装置の本体の第一の面に前記第一の脚部と第二の脚部の収納状態時に位置規制する位置規制部材を備え、前記位置規制部材は前記第一の脚部に設けられた第一の当接部と係合する第一の係止部と、前記第二の脚部に設けられた第一の当接部と係合する第二の係止部と、前記第三の脚部に設けられた第一の当接部と係合する第三の係止部と、前記第一の脚部に設けられた第二の当接部と係合する第四の係止部と、前記第二の脚部に設けられた第二の当接部と係合する第五の係止部とを備え、且つ該位置規制部材を移動させるための操作つまみ部を備えたことを特徴とする請求項４又は請求項５に記載の三脚内蔵撮像装置。
【発明の詳細な説明】
【技術分野】
【０００１】
本発明は、撮像装置用三脚、および三脚を内蔵した撮像装置に関する。
【背景技術】
【０００２】
最近では、ユーザーが自分の画像をインターネットに載せるためなどに、自分を被写体として撮影する自分撮りが多くみられる。その際、ユーザーは撮像装置を三脚に固定して撮影しているが、通常の三脚は大きくて重く取りまわしにくく、携帯にも不便で、使用されることが少ない。また、三脚等使わずそのまま置いて撮影する場合もあるが、置く場所によっては安定性がよくなかったり、アングルを変えることができないなどユーザーが必要とする画像を撮影することがむずかしかった。この問題に対して小型の携帯用三脚の発明も知られている（特許文献１参照）。
【先行技術文献】
【特許文献】
【０００３】
【特許文献１】特開平９−１２７６０２号公報
【発明の概要】
【発明が解決しようとする課題】
【０００４】
しかしながら、上記特許文献１では、三本の脚のうちの一本の脚の長さを調整して撮像装置の仰角を調整させているが、撮像装置の光軸に対して直交方向を長手方向とした三脚であり、三本の脚のうち二本の脚は前記長手方向に開く脚であったため、以下のような問題点があった。
【０００５】
撮像装置の光軸に対して直交方向を長手方向とした三脚であるため、幅方向への小型化に不向きであり、さらに自分撮りを行う時に机の上に置いて撮影する場合、仰角を大きくする必要があるが、三本の脚のうち二本の脚は前記長手方向に開く脚であるため、仰角を大きく取ると重心が脚よりも外になる可能性があり、バランスがよくない。
【課題を解決するための手段】
【０００６】
本発明に係る撮像装置用三脚は、
撮像装置の底面に装着可能な第一の面と、第一の面の対面となる第二の面を備えた三脚本体と、第一の脚部と第二の脚部が収納状態と開状態の２つの状態を回転移動可能に前記三脚本体部に軸支されるとともに、収納状態に於いて前記第一の面上、または、第一の面に設けた凹部に収納され、第三の脚部が収納状態と開状態の２つの状態を回転移動可能に前記三脚本体部に軸支されるとともに、収納状態に於いて前記第二の面上、または、第二の面に設けた凹部に収納されるように配置されたことを特徴としている。
【０００７】
また、本発明に係る撮像装置用三脚の他の特徴は、前記収納状態に於いて、前記三脚本体の第一の面に配置された前記第一および第二の脚部と、前記三脚本体の第二の面に配置された第三の脚部の回転軸は、撮像装置取り付け時の撮像装置の光軸と略直交する方向に配置されたことにある。
【０００８】
また、本発明に係る撮像装置用三脚のその他の特徴は、前記三脚本体の第一の面に前記第一および第二の脚部の収納状態時に位置規制する位置規制部材を備え、前記位置規制部材は前記第一の脚部に設けられた第一の当接部と係合する第一の係止部と、前記第二の脚部に設けられた第一の当接部と係合する第二の係止部と、前記第三の脚部に設けられた第一の当接部と係合する第三の係止部と、前記第一の脚部に設けられた第二の当接部と係合する第四の係止部と、前記第二の脚部に設けられた第二の当接部と係合する第五の係止部とを備え、且つ該位置規制部材を移動させるための操作つまみ部を備えたことにある。
【０００９】
また、本発明に係る撮像装置用三脚のその他の特徴は、本体に撮像光学系の光軸と直交する方向の回転軸を持つヒンジを介して、回転自在に取り付けられたカメラ部を有し、前記カメラ部が前記本体部に収納された状態時に前記カメラ部の底面側に対面する本体の第一の面と前記本体の第一の面の対面で本体の底面側となる第二の面を備え、第一の脚部と第二の脚部が収納状態と開状態の２つの状態を回転移動可能に、前記本体部に軸支されるとともに、収納状態に於いて前記第一の面上、または、第一の面に設けた凹部に収納され、第三の脚部が収納状態と開状態の２つの状態を回転移動可能に、前記本体部に軸支されるとともに、収納状態に於いて前記第二の面上、または、第二の面に設けた凹部に収納されるように配置されたことにある。
【００１０】
また、本発明に係る撮像装置用三脚のその他の特徴は、前記各脚部の収納状態に於いて、前記三脚内蔵撮像装置の本体の第一の面に配置された前記第一および第二の脚部と、前記三脚内蔵撮像装置の本体の第二の面に配置された前記第三の脚部の回転軸は、カメラ部の光軸と略直交する方向に配置されたことにある。。
【００１１】
また、本発明に係る撮像装置用三脚のその他の特徴は、前記三脚内蔵撮像装置の本体の第一の面に前記第一の脚部と第二の脚部の収納状態時に位置規制する位置規制部材を備え、前記位置規制部材は前記第一の脚部に設けられた第一の当接部と係合する第一の係止部と、前記第二の脚部に設けられた第一の当接部と係合する第二の係止部と、前記第三の脚部に設けられた第一の当接部と係合する第三の係止部と、前記第一の脚部に設けられた第二の当接部と係合する第四の係止部と、前記第二の脚部に設けられた第二の当接部と係合する第五の係止部とを備え、且つ該位置規制部材を移動させるための操作つまみ部を備えたことにある。
【発明の効果】
【００１２】
本発明によれば、撮像装置の光軸に対して直交方向を小型化した撮像装置用三脚が実現可能である。また第一および第二の脚部、第三の脚部を同時にあるいは別々にそれぞれを収納状態となる第一の位置または開状態となる第二の位置を選択することができ、ユーザーが自分撮りを行う時に机の上に置いて撮影する場合や、自分撮りを行う時に台の上から撮影する場合、安定して置き撮りすることが可能となる。
【図面の簡単な説明】
【００１３】
【図１】第１の実施形態の撮像装置用三脚に撮像装置を装着した状態の上方からの斜視図
【図２】図２ａは撮像装置用三脚の収納状態での上方からの斜視図、図２ｂは撮像装置用三脚の収納状態での下方からの斜視図
【図３ａ】撮像装置用三脚を展開した上方からの斜視図
【図３ｂ】撮像装置用三脚を展開した下方からの斜視図
【図４】撮像装置用三脚に装着される撮像装置の下方からの斜視図
【図５】図５ａは撮像装置用三脚の収納状態での上面図、図５ｂは撮像装置用三脚の収納状態での側面図、図５ｃは撮像装置用三脚の収納状態での底面図、図５ｄは図５ａのＡ−Ａ部断面図、図５ｅは図５ａのＢ−Ｂ部断面図
【図６】図６ａは第一と第二の脚部のロックを解除した状態の上方からの斜視図、図６ｂは第一と第二の脚部のロックを解除した状態の下方からの斜視図、図６ｃは第一と第二の脚部のロックを解除した状態の上面図、図６ｄは図６ｃのＣ−Ｃ部断面図、図６ｅは図６ｃのＤ−Ｄ部断面図
【図７】図７ａは図６の状態から、第一と第二の脚部を開いた状態の上方からの斜視図、図７ｂは図６の状態から、第一と第二の脚部を開いた状態の下方からの斜視図、図７ｃは図６の状態から、第一と第二の脚部を開いた状態の上面図、図７ｄは図７ｃのＥ−Ｅ部断面図、図７ｅは図７ｃのＦ−Ｆ部断面図
【図８】図８ａは図７の状態から、第一と第二の脚部のロックを戻した状態の上方からの斜視図、図８ｂは図７の状態から、第一と第二の脚部のロックを戻した状態の下方からの斜視図、図８ｃは図７の状態から、第一と第二の脚部のロックを戻した状態の上面図、図８ｄは図８ｃのＧ−Ｇ部断面図、図８ｅは図８ｃのＨ−Ｈ部断面図
【図９】図９ａは第三の脚部のロック部を解除した状態の下方からの斜視図、図９ｂは第三の脚部のロック部を解除した状態の上方からの斜視図、図９ｃは第三の脚部のロック部を解除した状態の上面図、図９ｄは図９ｃのＩ−Ｉ部断面図、図９ｅは図９ｃのＪ−Ｊ部断面図
【図１０】図１０ａは第三の脚部を開いて、第三の脚部のロックを戻した状態の下方からの斜視図、図１０ｂは第三の脚部を開いて、第三の脚部のロックを戻した状態の上方からの斜視図、図１０ｃは第三の脚部を開いて、第三の脚部のロックを戻した状態の上面図、図１０ｄは図１０ｃのＫ−Ｋ部断面図、図１０ｅは図１０ｃのＬ−Ｌ部断面図
【図１１】図１１ａは第一、第二の脚部と第三の脚部を開いた状態の上方からの斜視図、図１１ｂは第一、第二の脚部と第三の脚部を開いた状態の下方からの斜視図、図１１ｃは第一、第二の脚部と第三の脚部を開いた状態の上面図、図１１ｄは図１１ｃのＭ−Ｍ部断面図、図１１ｅは図１１ｃのＮ−Ｎ部断面図
【図１２】図１２ａは図２の状態の撮像装置用三脚に撮像装置を装着した上方からの斜視図、図１２ｂは図２の状態の撮像装置用三脚に撮像装置を装着した下方からの斜視図
【図１３】図８の状態の撮像装置用三脚に撮像装置を装着した側面図
【図１４】図１０の状態の撮像装置用三脚に撮像装置を装着した側面図
【図１５】図１１の状態の撮像装置用三脚に撮像装置を装着した側面図
【図１６】図１６ａは第２の実施形態における三脚内蔵撮像装置の後方斜視図、図１６ｂは第２の実施形態における三脚内蔵撮像装置の前方斜視図、図１６ｃは第２の実施形態における三脚内蔵撮像装置の側面図
【図１７ａ】三脚内蔵撮像装置を展開した上方からの斜視図
【図１７ｂ】三脚内蔵撮像装置を展開した下方からの斜視図
【図１８】図１８ａは図１６の状態からカメラ部を１８０度回転した時の後方斜視図、図１８ｂは図１６の状態からカメラ部を１８０度回転した時の前方斜視図、図１８ｃは図１６の状態からカメラ部を１８０度回転した時の側面図
【図１９】図１９ａは図１８の状態から第三の脚部を開いた時の後方斜視図、図１９ｂは図１８の状態から第三の脚部を開いた時の前方斜視図、図１９ｃは図１８の状態から第三の脚部を開いた時の側面図
【図２０】図２０ａは図１８の状態から第一、第二の脚部と第三の脚部を開いた時の後方斜視図、図２０ｂは図１８の状態から第一、第二の脚部と第三の脚部を開いた時の前方斜視図、図２０ｃは図１８の状態から第一、第二の脚部と第三の脚部を開いた時の側面図
【図２１】図２１ａは図１６の状態から第三の脚部を開いた時の後方斜視図、図２１ｂは図１６の状態から第三の脚部を開いた時の前方斜視図、図２１ｃは図１６の状態から第三の脚部を開いた時の側面図
【図２２】図２２ａは図１６の状態から第一、第二の脚部を開いた時の後方斜視図、図２２ｂは図１６の状態から第一、第二の脚部を開いた時の前方斜視図、図２２ｃは図１６の状態から第一、第二の脚部を開いた時の側面図
【図２３】図２３ａは図１６の状態から第一、第二の脚部と第三の脚部を開いた時の後方斜視図、図２３ｂは図１６の状態から第一、第二の脚部と第三の脚部を開いた時の前方斜視図、図２３ｃは図１６の状態から第一、第二の脚部と第三の脚部を開いた時の側面図
【図２４】図２４ａは図２３の状態からカメラ部を３０度回転した時の後方斜視図、図２４ｂは図２３の状態からカメラ部を３０度回転した時の前方斜視図、図２４ｃは図２３の状態からカメラ部を３０度回転した時の側面図
【発明を実施するための形態】
【００１４】
以下、本発明を実施するための形態を図面に基づいて説明する。
【００１５】
＜第１の実施形態＞
本発明の実施の形態を図１乃至図１５を参照して詳細に説明する。
【００１６】
まず図１から図４で撮像装置用三脚１００の構成を説明する。
【００１７】
図１は撮像装置用三脚１００に撮像装置２００を装着した上方斜視図、図２ａは撮像装置用三脚の収納状態での上方からの斜視図、図２ｂは撮像装置用三脚の収納状態での下方からの斜視図、図３ａは撮像装置用三脚を展開した上方からの斜視図、図３ｂは撮像装置用三脚を展開した下方からの斜視図である。図４は撮像装置２００の下方からの斜視図で撮像レンズ２１０、シャッターボタン２２０、ストロボ２３０、取り付けネジ穴２４０が設けられている。
【００１８】
撮像装置用三脚１００の本体部１１０の撮像装置取り付け面となる第一の面１１１に第一の脚部１４０を収納する凹部１１５と、第二の脚部１６０を収納する凹部１１６が設けられている。撮像装置２００取り付け時の光軸と直交する方向に配置された第一の脚用回転軸１５０が第一の脚部１４０の回転軸穴１４１を貫通し、本体部１１０の回転軸穴１１５ａとその対面で同軸の回転軸穴に保持されることにより、第一の脚用回転軸１５０を回転中心に、第一の脚部１４０が回転可能に取り付けられる。同様に撮像装置２００取り付け時の光軸と直交する方向に配置された第二の脚用回転軸１７０が第二の脚部１６０の回転軸穴１６１を貫通し、本体部１１０の回転軸穴１１６ａとその対面で同軸の回転軸穴に保持されることにより、第二の脚用回転軸１７０を回転中心に、第二の脚部１６０が回転可能に取り付けられる。
【００１９】
本体部１１０の第一の面１１１の対面となる第二の面１１２に第三の脚部１２０を収納する凹部１１４が設けられている。撮像装置２００取り付け時の光軸と直交する方向に配置された第三の脚用回転軸１３０が第三の脚部１２０の回転軸穴１２１を貫通し、本体部１１０の回転軸穴１１４ａとその対面で同軸の回転軸穴に保持されることにより、第三の脚用回転軸１３０を回転中心に、第三の脚部１２０が回転可能に取り付けられる。
【００２０】
本体部１１０の第一の面１１１に脚ロックつまみ１８０を配置する凹部１１７が設けられ、脚ロックつまみ１８０がスライド可能に取り付けられる。凹部１１７の一部に設けられた貫通穴１１７ａから、脚ロックつまみ１８０の操作つまみ部１８１が本体部１１０の第二の面１１２側に露出される。
【００２１】
本体部１１０に設けられた取り付けネジ用貫通穴１１３には撮像装置取り付けネジ１９０が回転可能に取り付けられ、図４の撮像装置２００の底面に設けられた取り付けネジ穴２４０にねじ込まれ、図１のように装着される。
【００２２】
次に、図５ａから図１１ｅで脚ロックつまみ１８０、第一の脚部１４０、第二の脚部１６０、第三の脚部１２０の収納状態、開状態を説明する。
【００２３】
図５ａは撮像装置用三脚の収納状態での上面図で、図５ｂは側面図、図５ｃは底面図であり、図５ｄは図５ａのＡ−Ａ部断面図で、図５ｅは図５ａのＢ−Ｂ部断面図である。
【００２４】
脚ロックつまみ１８０は中立状態となる第一の位置にあり、第一の脚部１４０は本体部１１０の凹部１１５に収納された第一の位置、第二の脚部１６０は本体部１１０の凹部１１６に収納された第一の位置、第三の脚部１２０は本体部１１０の凹部１１４に収納された第一の位置にそれぞれ配置されている。
【００２５】
この状態に於いて、脚ロックつまみ１８０の接続腕部１８５の先端に設けられた第一の脚部１４０用の第一の係止部１８３は、第一の脚部１４０に設けられた脚ロックつまみ１８０用の第一の当接部１４３とで係合されている。脚ロックつまみ１８０の接続腕部１８５の先端に設けられた第二の脚部１６０用の第二の係止部１８４が、第二の脚部１６０に設けられた脚ロックつまみ１８０用の第一当接部１６３に係合し、さらに脚ロックつまみ１８０の操作部１８１の裏面に設けられた第三の脚部１２０用の第三の係止部１８２は、第三の脚部１２０の先端部１２２に設けられた脚ロックつまみ１８０用の第一の当接部１２３に係合している。
【００２６】
図６ａは第一の脚部１４０と第二の脚部１６０のロックを解除した状態の上方からの斜視図、図６ｂは下方からの斜視図、図６ｃは上面図であり、図６ｄは図６ｃのＣ−Ｃ部断面図、図６ｅは図６ｃのＤ−Ｄ部断面図である。
【００２７】
脚ロックつまみ１８０の操作つまみ部１８１を中立状態となる第一の位置から図中矢印Ｏ方向へ移動し、脚ロックつまみ１８０を第二の位置とすることにより、脚ロックつまみ１８０の接続腕部１８５の先端に設けられた第一の脚部１４０用の第一の係止部１８３が、第一の脚部１４０に設けられた脚ロックつまみ１８０用の第一の当接部１４３から外れ係合が解除され、第一の脚部１４０は第一の脚用回転軸１５０を回転中心に、図中矢印Ｐ方向へ回転可能となる。
【００２８】
第二の脚部１６０も同様に、脚ロックつまみ１８０の接続腕部１８５の先端に設けられた第二の脚部１６０用の第二の係止部１８４が、第二の脚部１６０に設けられた脚ロックつまみ１８０用の第一の当接部１６３から外れ係合が解除され、第二の脚用回転軸１６０を回転中心に、図中矢印Ｐ方向へ回転可能となる。この時、脚ロックつまみ１８０の操作部１８１の裏面に設けられた第三の脚部１２０用の第三の係止部１８２は、脚ロックつまみ１８０全体が図中矢印Ｏ方向に移動してもなお第三の脚部１２０の先端部１２２に設けられた脚ロックつまみ１８０用の第一の当接部１２３に係合しており、第三の脚部１２０は図中矢印Ｓ方向への回転が規制されている。
【００２９】
図７ａは図６の状態から、第一の脚部１４０と第二の脚部１６０を図中矢印Ｐ方向へ開いた状態の上方からの斜視図、図７ｂは下方からの斜視図、図７ｃは上面図であり、図７ｄは図７ｃのＥ−Ｅ部断面図、図７ｅは図７ｃのＦ−Ｆ部断面図である。
【００３０】
第一の脚部１４０は回転軸１５０を回転中心に、三脚開状態となる第二の位置まで図中矢印Ｐ方向へ回転するが、この時、第一の脚部１４０は図中矢印Ｑ方向への回転規制がなく三脚として使用すると、撮像装置用三脚１００の自重により、図中矢印Ｑ方向へ回転してしまう状態である。第二の脚部１６０も同様で図中矢印Ｑ方向へ回転してしまう状態である。
【００３１】
図８ａは図７の状態から第一と第二の脚部のロックつまみ１８０を中立状態となる第一の位置に戻した状態の上方からの斜視図、図８ｂは下方からの斜視図、図８ｃは上面図であり、図８ｄは図８ｃのＧ−Ｇ部断面図、図８ｅは図８ｃのＨ−Ｈ部断面図である。
【００３２】
脚ロックつまみ１８０を第二の位置から、図中矢印Ｒ方向へ移動し、中立状態となる第一の位置に戻すことにより、脚ロックつまみ１８０の接続腕部１８５の先端に設けられた第一の脚部１４０用の第四の係止部１８６が、第一の脚部１４０に設けられた脚ロックつまみ１８０用の第二の当接部１４４とで係合し、第一の脚部１４０は第二の位置から図中矢印Ｑ方向への移動が規制され、三脚として使用時の脚部とすることができる。第二の脚部１６０も同様に脚ロックつまみ１８０の接続腕部１８５の先端に設けられた第二の脚部１６０用の第五の係止部１８７が、第二の脚部１６０に設けられた脚ロックつまみ１８０用の第二の当接部１６４とで係合し、第二の位置から図中矢印Ｑ方向への移動が規制され、三脚として使用時の脚部とすることができる。
【００３３】
図９ａは第三の脚部のロック部を解除した状態の下方からの斜視図、図９ｂは上方からの斜視図、図９ｃは上面図で、図９ｄは図９ｃのＩ−Ｉ部断面図、図９ｅは図９ｃのＪ−Ｊ部断面図である。
【００３４】
脚ロックつまみ１８０の操作つまみ部１８１を中立状態となる第一の位置から図中矢印Ｒ方向へ移動し、脚ロックつまみ１８０を第三の位置とすることにより、脚ロックつまみ１８０の操作部１８１の裏面に設けられた第三の脚部１２０用の第三の係止部１８２が、第三の脚部１２０の先端部１２２に設けられた脚ロックつまみ１８０用の第一の当接部１２３との係合が解除され、第三の脚部１２０は第三の脚用回転軸１３０を回転中心に、図中矢印Ｓ方向へ回転可能となる。この時、脚ロックつまみ１８０の接続腕部１８５の先端に設けられた第一の脚部１４０用の第一の係止部１８３は、脚ロックつまみ１８０全体が図中矢印Ｒ方向に移動してもなお第一の脚部１４０に設けられた脚ロックつまみ１８０用の第一の当接部１４３とで係合されており、第一の脚部１４０は図中矢印Ｐ方向への回転が規制されている。第二の脚部１６０も同様に図中矢印Ｐ方向への回転が規制されている。
【００３５】
図１０ａは第三の脚部１２０を開いて、第三の脚部のロックつまみ１８０を中立状態となる第一の位置に戻した状態の下方からの斜視図、図１０ｂは上方からの斜視図、図１０ｃは上面図であり、図１０ｄは図１０ｃのＫ−Ｋ部断面図、図１０ｅは図１０ｃのＬ−Ｌ部断面図である。
【００３６】
第三の脚部１２０を第三の脚用回転軸１３０を回転中心に、図中矢印Ｓ方向へ回転し、本体部１１０に設けられた第三の脚部１２０用の第一の係止部１１４ｂが、第三の脚部１２０に設けられた本体部１１０用の第二の当接部１２４とで係合し、第三の脚部１２０は第二の位置となり図中矢印Ｓ方向へのさらなる移動が規制され、三脚として使用時の脚部となることができる。
【００３７】
図１１ａは第一の脚部１４０、第二の脚部１６０と第三の脚部１２０を開いた状態の上方からの斜視図、図１１ｂは下方からの斜視図、図１１ｃは上面図であり、図１１ｄは図１１ｃのＭ−Ｍ部断面図、図１１ｅは図１１ｃのＮ−Ｎ部断面図である。
【００３８】
第一の脚部１４０、第二の脚部１６０は図８の状態と同じで第一の脚部１４０、第二の脚部１６０は第二の位置で図中矢印Ｑ方向への回転が規制され、三脚として使用時の脚部とすることができ、第三の脚部１２０は図１０の状態と同じで第三の脚部１２０は第二の位置で図中矢印Ｓ方向への回転が規制され、三脚として使用時の脚部とすることができる。
【００３９】
これから、図２、図８、図１０、図１１の各状態の撮像装置用三脚に撮像装置を装着した状態の説明をする。
【００４０】
図１２ａは図２の状態の撮像装置用三脚に撮像装置を装着した上方からの斜視図、図１２ｂは下方からの斜視図である。図１３は図８の状態の撮像装置用三脚１００に撮像装置２００を装着し、地面に置いた側面図である。
【００４１】
第一の脚部１４０、第二の脚部１６０が開状態となる第二の位置で、第三の脚部１２０は収納状態となる第一の位置にある。第一の脚部１４０の先端部１４２、第二の脚部１６０の先端部１６２は本体部１１０の前端部１１９よりも外側に接地し、本体部１１０の第二の面１１２の後端部１１８が地面に接地し、安定した状態である。撮像装置２００の撮像レンズ２１０の光軸は斜め上方を向いており、置き撮り時に斜め上方を撮影可能となる。
【００４２】
図１４は図１０の状態の撮像装置用三脚１００に撮像装置２００を装着し、地面に置いた側面図である。第一の脚部１４０、第二の脚部１６０が収納状態となる第一の位置、第三の脚部１２０が開状態となる第二の位置にある。第三の脚部１２０の先端部１２２は本体部１１０の後端部１１８よりも外側に接地し、本体部１１０の第二の面１１２の先端部１１９が地面に接地し、安定した状態である。撮像装置２００の撮像レンズ２１０の光軸は斜め下方を向いており、置き撮り時に斜め下方を撮影可能となる。台の上などに設置し、斜め下方を撮影するときなどに使用される。
【００４３】
図１５は図１１の状態の撮像装置用三脚１００に撮像装置２００を装着し、地面に置いた側面図である。第一の脚部１４０、第二の脚部１６０、第三の脚部１２０が開状態となる第二の位置にある。第一の脚部１４０の先端部１４２、第二の脚部１６０の先端部１６２は本体部１１０の前端部１１９よりも外側に接地し、第三の脚部１２０の先端部１２２は本体部１１０の後端部１１８よりも外側に地面に接地し、安定した状態である。置き撮り時に撮像装置２００の撮像レンズ２１０の光軸の高さを上げたいとき、地面が斜めなどで撮像装置２００だけでは不安定で接地範囲を広くしたい場合などに使用される。
【００４４】
以上説明したように、撮像装置の光軸に対して直交方向を小型化した撮像装置用三脚が実現可能である。
【００４５】
また第一の脚部１４０、第二の脚部１６０、第三の脚部１２０を同時に、あるいは別々にそれぞれを収納状態となる第一の位置または開状態となる第二の位置を選択することができる。ユーザーが自分撮りを行う時に机の上に置いて撮影する場合、仰角が１０度以上となることが多いが、図１３の状態とすれば、仰角が１０度以上であるが安定して置き撮りすることが可能となる。また自分撮りを行う時に台の上から光軸を垂直よりも下に向けた俯角で撮影する場合、図１４の状態とすれば俯角１０度以上でも安定して置き撮りすることが可能となる。
【００４６】
また、第一の脚部１４０、第二の脚部１６０、第三の脚部１２０の開閉用つまみと、収納時の係止部と、第一の脚部１４０、第二の脚部１６０の開状態となる第二の位置時の係止部を一つの部材で形成しており、部品点数の削減を可能としているとともに、ひとつのロック部材の操作で第一および第二の脚部を同時にロックまたはロック解除、および開状態での規制を行うことができ、合わせて、第三の脚部のロック解除も可能としており、様々な三脚モードを簡単に設定することができる。
【００４７】
＜第２の実施形態＞
次に図１６乃至図２４を参照して本発明の第二の実施の形態における三脚内蔵撮像装置について説明する。第一の実施の形態の構成と同様構成については、同一番号を付して詳細説明は省略する。
【００４８】
図１６ａは第２の実施形態における三脚内蔵撮像装置５００の後方斜視図、図１６ｂは前方斜視図、図１６ｃは地面に置いた側面図である。図１７ａは三脚内蔵撮像装置５００を展開した上方からの斜視図、図１７ｂは下方からの斜視図である。
【００４９】
三脚内蔵撮像装置５００の本体部５１０の上部に取り付けられたヒンジユニット８００を介して、カメラ部６００が回転可能に取り付けられる。本体部５１０はカメラ部が回転、収納可能に天面と前方の２面が開放されており、後面側５１３に撮影画像または再生画像を表示する表示装置７００を搭載する。
【００５０】
カメラ部６００の収納時において、三脚内蔵撮像装置５００の本体部５１０のカメラ部６００の底面６１１と対向する第一の面５１１に第一の脚部１４０を収納する凹部５１５と、第二の脚部１６０を収納する凹部５１６が設けられている。光軸と直交する方向に配置された第一の脚用回転軸１５０が第一の脚部１４０の回転軸穴１４１を貫通し、三脚内蔵撮像装置５００の本体部５１０の回転軸穴５１５ａとその対面で同軸の回転軸穴に保持されることにより、第一の脚用回転軸１５０を回転中心に、第一の脚部１４０が回転可能に取り付けられる。同様に光軸と直交する方向に配置された第二の脚用回転軸１７０が第二の脚部１６０の回転軸穴１６１を貫通し、三脚内蔵撮像装置５００の本体部５１０の回転軸穴５１６ａとその対面で同軸の回転軸穴に保持されることにより、第二の脚用回転軸１７０を回転中心に、第二の脚部１６０が回転可能に取り付けられる。
【００５１】
三脚内蔵撮像装置５００の本体部５１０の第一の面５１１の対面で底面側となる第二の面５１２に第三の脚部１２０を収納する凹部５１４が設けられている。光軸と直交する方向に配置された第三の脚用回転軸１３０が第三の脚部１２０の回転軸穴１２１を貫通し、三脚内蔵撮像装置５００の本体部５１０の回転軸穴５１４ａとその対面で同軸の回転軸穴に保持されることにより、第三の脚用回転軸１３０を回転中心に、第三の脚部１２０が回転可能に取り付けられる。
【００５２】
三脚内蔵撮像装置５００の本体部５１０の第一の面５１１に脚ロックつまみ１８０を配置する凹部５１７が設けられ、脚ロックつまみ１８０がスライド可能に取り付けられる。凹部５１７の一部に設けられた貫通穴５１７ａから、脚ロックつまみ１８０の操作つまみ部１８１が三脚内蔵撮像装置５００の本体部５１０の底面側となる第二の面５１２に露出される。
【００５３】
脚ロックつまみ１８０、第一の脚部１４０、第二の脚部１６０、第三の脚部１２０の収納状態、開状態の説明は第一の実施の形態で図５ａから図１１ｅにおいて説明した構成であり省略する。
【００５４】
図１８ａは図１６の状態からカメラ部を１８０度回転した時の後方斜視図、図１８ｂは前方斜視図、図１８ｃは地面に置いた側面図であり、第一の脚部１４０、第二の脚部１６０、第三の脚部１２０が収納状態となる第一の位置にある。この場合、撮影方向が後方となる。６１２はカメラ部６００の重心位置であり、三脚内蔵撮像装置５００の本体部５１０の接地範囲の第二の面５１２の後端部５１８よりも外側にあり、置き撮り時にバランスがよくない。
【００５５】
図１９ａは図１８の状態から第三の脚部１２０を開いた時の後方斜視図、図１９ｂは前方斜視図、図１９ｃは地面に置いた側面図である。第一の脚部１４０、第二の脚部１６０が収納状態となる第一の位置、第三の脚部１２０が開状態となる第二の位置にあり、第三の脚部１２０の先端部１２２と、三脚内蔵撮像装置５００の本体部５１０の第二の面５１２の先端部５１９が地面に接地している。カメラ部６００の重心位置６１２が三脚内蔵撮像装置５００の本体部５１０の接地範囲の第二の面５１２の先端部５１９と第三の脚部１２０の先端部１２２の間にあり、置き撮り時にバランスが良い。
【００５６】
図２０ａは図１８の状態から第一の脚部１４０、第二の脚部１６０、第三の脚部１２０を開いた時の後方斜視図、図２０ｂは前方斜視図、図２０ｃは地面に置いた側面図である。第一の脚部１４０、第二の脚部１６０、第三の脚部１２０が開状態となる第二の位置にあり、第一の脚部１４０の先端部１４２、第二の脚部１６０の先端部１６２と、第三の脚部１２０の先端部１２２が地面に接地している。カメラ部６００の重心位置６１２が三脚内蔵撮像装置５００の本体部５１０の接地範囲の第一の脚部１４０の先端部１４２、第二の脚部１６０の先端部１６２と第三の脚部１２０の先端部１２２の間にあり、置き撮り時にバランスが良い。
【００５７】
図２１ａは図１６の状態から第三の脚部を開いた時の後方斜視図、図２１ｂは前方斜視図、図２１ｃは地面に置いた側面図である。第一の脚部１４０、第二の脚部１６０が収納状態となる第一の位置、第三の脚部１２０が開状態となる第二の位置にあり、第三の脚部１２０の先端部１２２と、三脚内蔵撮像装置５００の本体部５１０の第二の面５１２の先端部５１９が地面に接地している。三脚内蔵撮像装置５００のカメラ部６００の撮像レンズ２１０の光軸は斜め下方を向いており、置き撮り時に斜め下方を撮影可能となる。台の上などに設置し、斜め下方を撮影するときなどに使用される。
【００５８】
図２２ａは図１６の状態から第一、第二の脚部を開いた時の後方斜視図、図２２ｂは前方斜視図、図２２ｃは地面に置いた側面図である。第一の脚部１４０、第二の脚部１６０が開状態となる第二の位置、第三の脚部１２０は収納状態となる第一の位置にあり、第一の脚部１４０の先端部１４２、第二の脚部１６０の先端部１６２と、三脚内蔵撮像装置５００の本体部５１０の第二の面５１２の後端部５１８が地面に接地している。三脚内蔵撮像装置５００のカメラ部６００の撮像レンズ２１０の光軸は斜め上方を向いており、置き撮り時に斜め上方を撮影可能となる。
【００５９】
図２３ａは図１６の状態から第一、第二の脚部と第三の脚部を開いた時の後方斜視図、図２３ｂは前方斜視図、図２３ｃは側面図であり、図２４ａは図２３の状態からカメラ部を３０度回転した時の後方斜視図、図２４ｂは前方斜視図、図２４ｃは側面図である。どちらの場合も、第一の脚部１４０、第二の脚部１６０、第三の脚部１２０が開状態となる第二の位置にあり、第一の脚部１４０の先端部１４２、第二の脚部１６０の先端部１６２と、第三の脚部１２０の先端部１２２が地面に接地しており安定している。
【００６０】
以上説明したように、撮像装置の光軸に対して直交方向を小型化した撮像装置が実現可能である。
【００６１】
また第一の脚部１４０、第二の脚部１６０、第三の脚部１２０を同時にあるいは別々にそれぞれを収納状態となる第一の位置または開状態となる第二の位置を選択することができる。またカメラ部６００が三脚内蔵撮像装置５００の本体部５１０の上部に取り付けられたヒンジユニット８００を介して、回転可能に取り付けられているため、ユーザーが自分撮りを行う時に机の上に置いて撮影する場合や台の上から光軸を垂直よりも下に向けた俯角で撮影する場合など、第一の脚部１４０、第二の脚部１６０が撮像装置２００の本体部５００の先端部５１９よりも前側へ開き、第三の脚部１２０が撮像装置２００の本体部５００の後端部５１８よりも後側に開くため、どのようなアングルとしても安定して置き撮りすることが可能となる。
【００６２】
また、第一の脚部１４０、第二の脚部１６０、第三の脚部１２０の開閉用つまみと、収納時の係止部と、第一の脚部１４０、第二の脚部１６０の開状態となる第二の位置時の係止部を一つの部材で形成しており、部品点数の削減を可能としているとともに、ひとつのロック部材の操作で第一および第二の脚部を同時にロックまたはロック解除、および開状態での規制を行うことができ、合わせて、第三の脚部のロック解除も可能としており、様々な三脚モードを簡単に設定することができる。
【００６３】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００６４】
１００  撮像装置用三脚、１１０  撮像装置用三脚１００の本体部、
１１１  本体部１１０の撮像装置取り付け面となる第一の面、
１１４ｂ  本体部１１０に設けられた第三の脚部用の第一の係止部、
１１２  本体部１１０の第一の面１１１の対面となる第二の面、１２０  第三の脚部、
１２３  第三の脚部１２０に設けられた脚ロックつまみ１８０用の第一の当接部、
１２４  第三の脚部１２０に設けられた本体部用の第二の当接部、
１３０  第三の脚用回転軸、１４０  第一の脚部、
１４３  第一の脚部１４０に設けられた脚ロックつまみ１８０用の第一の当接部、
１４４  第一の脚部１４０に設けられた脚ロックつまみ１８０用の第二の当接部、
１５０  第一の脚用回転軸、１６０  第二の脚部、
１６３  第二の脚部１６０に設けられた脚ロックつまみ１８０用の第一の当接部、
１６４  第二の脚部１６０に設けられた脚ロックつまみ１８０用の第二の当接部、
１７０  第二の脚用回転軸、１８０  脚ロックつまみ、１８１  操作つまみ部、
１８２  脚ロックつまみ１８０に設けられた第三の脚部１２０用の第三の係止部、
１８３  脚ロックつまみ１８０に設けられた第一の脚部１４０用の第一の係止部、
１８４  脚ロックつまみ１８０に設けられた第二の脚部１６０用の第二の係止部、
１８６  脚ロックつまみ１８０に設けられた第一の脚部１４０用の第四の係止部、
１８７  脚ロックつまみ１８０に設けられた第二の脚部１６０用の第五の係止部、
１９０  撮像装置取り付けネジ、２００  撮像装置、２１０  撮像レンズ、
２２０  シャッターボタン、２４０  取り付けネジ穴、５００  三脚内蔵撮像装置、
５１０  三脚内蔵撮像装置５００の本体部、
５１１  三脚内蔵撮像装置５００の本体部５１０の第一の面、
５１２  三脚内蔵撮像装置５００の本体部５１０の底面側となる第二の面、
６００  カメラ部、６１２  カメラ部６００の重心位置、７００  表示装置、
８００  ヒンジユニット
【図１】
2017032880.tif 000003
【図２】
2017032880.tif 000004
【図３ａ】
2017032880.tif 000005
【図３ｂ】
2017032880.tif 000006
【図４】
2017032880.tif 000007
【図５】
2017032880.tif 000008
【図６】
2017032880.tif 000009
【図７】
2017032880.tif 000010
【図８】
2017032880.tif 000011
【図９】
2017032880.tif 000012
【図１０】
2017032880.tif 000013
【図１１】
2017032880.tif 000014
【図１２】
2017032880.tif 000015
【図１３】
2017032880.tif 000016
【図１４】
2017032880.tif 000017
【図１５】
2017032880.tif 000018
【図１６】
2017032880.tif 000019
【図１７ａ】
2017032880.tif 000020
【図１７ｂ】
2017032880.tif 000021
【図１８】
2017032880.tif 000022
【図１９】
2017032880.tif 000023
【図２０】
2017032880.tif 000024
【図２１】
2017032880.tif 000025
【図２２】
2017032880.tif 000026
【図２３】
2017032880.tif 000027
【図２４】
2017032880.tif 000028